(57)【要約】【課題】収容空間に収容された光学部品の光学特性を維持できる光モジュールを提供する。【解決手段】レーザモジュール１は、光学部品４０〜４２が搭載される基部１２と、基部１２から高さ方向に延びる側壁３１〜３４とを含む筐体１０と、筐体１０とともに収容空間Ｓを規定する蓋部材２０と、筐体１０と蓋部材２０とを固定するための樹脂７０とを備える。側壁３１は突当て側面６１Ａを有する突当て部６１を備え、側壁３２は蓋部材２０を受ける蓋受け面５２を備え、側壁３３は突当て側面６３Ａを有する突当て部６３を備え、側壁３４は蓋部材２０を受ける蓋受け面５４を備える。突当て部６１の突当て側面６１Ａと蓋部材２０の蓋側面２１とが樹脂７０を介して互いに対向し、突当て部６３の突当て側面６３Ａと蓋部材２０の蓋側面２３とが樹脂７０を介して互いに対向する。蓋部材２０の蓋側面２２，２４は外部に露出する。【選択図】図４
2019016696.tif 000002
【特許請求の範囲】
【請求項１】
光学部品と、前記光学部品が搭載される基部と、前記基部を囲むように前記基部から高さ方向に延びる側壁とを含む筐体と、前記筐体とともに前記光学部品を収容する収容空間を規定する蓋部材と、前記筐体と前記蓋部材とを固定するための樹脂とを備える光モジュールであって、
前記蓋部材は、
前記高さ方向において前記筐体の前記基部に対向する対向面と、
前記高さ方向に延びる第１の蓋側面と、
前記高さ方向に延び、前記第１の蓋側面の反対側に位置する第２の蓋側面と
を有し、
前記側壁は、
前記高さ方向に延びる突当て側面を有する突当て部を備える第１の側壁と、
前記第１の側壁に対向する第２の側壁であって、前記蓋部材を受ける蓋受け面を有する第２の側壁と
を含み、
前記高さ方向に垂直な第１の方向及び前記高さ方向の双方に平行な平面における前記光モジュールの断面のうち少なくとも１つの断面において、前記第１の側壁の前記突当て部の前記突当て側面と前記蓋部材の前記第１の蓋側面とが前記樹脂を介して互いに対向し、前記蓋部材の前記第２の蓋側面は外部に露出し、前記第２の側壁の前記蓋受け面と前記蓋部材の前記対向面とが互いに対向する、
光モジュール。
【請求項２】
前記第１の側壁の前記突当て部の前記突当て側面の全長にわたって該突当て側面と前記蓋部材の前記第１の蓋側面とが前記樹脂を介して互いに対向し、該第１の蓋側面の反対側に位置する前記第２の蓋側面の全長にわたって前記第２の蓋側面が外部に露出する、請求項１に記載の光モジュール。
【請求項３】
前記蓋部材は、
前記高さ方向に延びる第３の蓋側面と、
前記高さ方向に延び、前記第３の蓋側面の反対側に位置する第４の蓋側面と
をさらに有し、
前記側壁は、
前記高さ方向に延びる突当て側面を有する突当て部を備える第３の側壁と、
前記第３の側壁に対向する第４の側壁であって、前記蓋部材を受ける蓋受け面を有する第４の側壁と
をさらに含み、
前記高さ方向に垂直な第２の方向及び前記高さ方向の双方に平行な平面における前記光モジュールの断面のうち少なくとも１つの断面において、前記第３の側壁の前記突当て部の前記突当て側面と前記蓋部材の前記第３の蓋側面とが前記樹脂を介して互いに対向し、前記蓋部材の前記第４の蓋側面は外部に露出し、前記第４の側壁の前記蓋受け面と前記蓋部材の前記対向面とが介して互いに対向する、
請求項１又は２に記載の光モジュール。
【請求項４】
前記第３の側壁の前記突当て部の前記突当て側面の全長にわたって該突当て側面と前記蓋部材の前記第３の蓋側面と前記樹脂を介して互いに対向し、該第３の蓋側面の反対側に位置する前記第４の蓋側面の全長にわたって前記第４の蓋側面が外部に露出する、請求項３に記載の光モジュール。
【請求項５】
前記第１の側壁と前記第３の側壁とは互いに隣接する、請求項３又は４に記載の光モジュール。
【請求項６】
前記第１の側壁の前記突当て部は、前記第１の側壁と前記第３の側壁との接続部から前記第１の側壁に沿って延び、
前記第３の側壁の前記突当て部は、前記接続部から前記第３の側壁に沿って延びる、
請求項５に記載の光モジュール。
【請求項７】
前記筐体は、前記蓋部材の少なくとも１つの隅部に対向する隅対向部をさらに含む、請求項１から６のいずれか一項に記載の光モジュール。
【請求項８】
前記蓋部材の前記第２の蓋側面の前記高さ方向に沿った厚さは、前記第１の蓋側面の前記高さ方向に沿った厚さよりも小さい、請求項１から７のいずれか一項に記載の光モジュール。
【請求項９】
前記樹脂は紫外線硬化型樹脂である、請求項１から８のいずれか一項に記載の光モジュール。
【請求項１０】
対向面と、前記対向面に垂直な第１の蓋側面と、前記対向面に垂直で前記第１の蓋側面の反対側に位置する第２の蓋側面とを含む蓋部材を用意し、
基部と、前記基部を囲むように前記基部から高さ方向に延びる側壁とを含む筐体を用意し、
前記側壁は、前記高さ方向に延びる突当て側面を有する突当て部を備える第１の側壁と、前記第１の側壁に対向する第２の側壁であって、前記蓋部材を受ける蓋受け面を有する第２の側壁とを含み、
前記筐体の前記基部に光学部品を搭載し、
前記高さ方向に垂直な第１の方向及び前記高さ方向の双方に平行な平面における前記筐体の断面のうち少なくとも１つの断面における前記第１の側壁の前記突当て部の前記突当て側面を含む前記筐体の樹脂塗布部分に樹脂を塗布し、
前記光学部品が搭載された前記基部に前記蓋部材の前記対向面を対向させた状態で、前記蓋部材を前記第１の側壁の前記突当て部の前記突当て側面に向かって突き当てて前記蓋部材の前記第１の蓋側面を前記突当て側面に塗布された前記樹脂に接触させるとともに、前記蓋部材を前記第２の側壁の前記蓋受け面に向かって突き当て、
前記第１の側壁の前記突当て部の前記突当て側面に塗布された前記樹脂に前記蓋部材の前記第１の蓋側面を接触させた状態で、前記樹脂を硬化させる、
光モジュールの製造方法。
【請求項１１】
前記蓋部材は、
前記高さ方向に延びる第３の蓋側面と、
前記高さ方向に延び、前記第３の蓋側面の反対側に位置する第４の蓋側面と
をさらに有し、
前記側壁は、
前記高さ方向に延びる突当て側面を有する突当て部を備える第３の側壁と、
前記第３の側壁に対向する第４の側壁であって、前記蓋部材を受ける蓋受け面を有する第４の側壁と
をさらに含み、
前記樹脂塗布部分は、前記高さ方向に垂直な第２の方向及び前記高さ方向の双方に平行な平面における前記筐体の断面のうち少なくとも１つの断面における前記第３の側壁の前記突当て部の前記突当て側面をさらに含み、
前記蓋部材を前記第１の側壁の前記突当て部の前記突当て側面に向かって突き当てるとともに、前記蓋部材を前記第２の側壁の前記蓋受け面に向かって突き当てる際に、前記蓋部材を前記第３の側壁の前記突当て部の前記突当て側面に向かって突き当てて前記蓋部材の前記第３の蓋側面を前記突当て側面に塗布された前記樹脂に接触させるとともに、前記蓋部材を前記第４の側壁の前記蓋受け面に向かって突き当て、
前記樹脂を硬化させる際に、前記第３の側壁の前記突当て部の前記突当て側面に塗布された前記樹脂に前記蓋部材の前記第３の蓋側面を接触させる、
請求項１０に記載の光モジュールの製造方法。
【請求項１２】
前記樹脂として紫外線硬化型樹脂を用い、
前記樹脂を硬化させる際に、前記樹脂に紫外線を照射することにより前記樹脂を硬化させる、
請求項１０又は１１に記載の光モジュールの製造方法。
【発明の詳細な説明】
【技術分野】
【０００１】
本発明は、光モジュール及びその製造方法に係り、特に光学部品が搭載された筐体を含む光モジュールに関するものである。
【背景技術】
【０００２】
従来から、光学部品が搭載された筐体に蓋部材を取り付けた光モジュールが知られている。このような光モジュールとして、図１に示すようなレーザモジュール９０１が知られている（例えば、特許文献１参照）。このレーザモジュール９０１は、開口部が形成された筐体９１０と、筐体９１０の開口部を塞ぐ蓋部材９２０とを含んでいる。筐体９１０の基部９１１の縁部からは側壁９１２が延びている。この側壁９１２の頂部には凹部９１３が形成されている。一方、蓋部材９２０の縁部には、凹部９１３に対応して、側壁９１２に向かって突出する凸部９２１が形成されている。そして、このような凸部９２１が凹部９１３に受け入れられることにより、蓋部材９２０が筐体９１０の側壁９１２に載置される。
【０００３】
ここで、凸部９２１と凹部９１３との間には樹脂９３０が設けられている。この樹脂９３０によって凸部９２１と凹部９１３との間の隙間が封止されるともに、蓋部材９２０が筐体９１０に固定される。筐体９１０と蓋部材９２０との間には光学部品を収容する収容空間Ｓが形成されている。例えば、レーザ光を出射する半導体レーザ素子９４１と、光ファイバ９４３と、レーザ光を光ファイバ９４３に光結合させるレンズ９４２，９４４を有する光結合手段９４０などが光学部品として収容空間Ｓに収容される。
【０００４】
このようなレーザモジュール９０１では、筐体９１０と蓋部材９２０との間を樹脂９３０により封止しているが、この樹脂９３０が吸湿などにより膨張すると、図１において矢印で示すように、樹脂９３０の変形により筐体９１０が強く押され、筐体９１０が変形してしまうという問題がある。このように筐体９１０が変形すると、筐体９１０に固定された光学部品の位置がずれ、レーザ光の光軸がずれてしまい、レーザモジュール９０１の光学特性が悪化してしまう。
【先行技術文献】
【特許文献】
【０００５】
【特許文献１】特開２０１５−１３０３９４号公報
【発明の概要】
【発明が解決しようとする課題】
【０００６】
本発明は、このような従来技術の問題点に鑑みてなされたもので、収容空間に収容された光学部品の光学特性を維持できる光モジュールを提供することを第１の目的とする。
【０００７】
また、本発明は、蓋部材を正確に位置決めするとともに、収容空間に収容された光学部品の光学特性を維持することができる光モジュールの製造方法を提供することを第２の目的とする。
【課題を解決するための手段】
【０００８】
本発明の第１の態様によれば、収容空間に収容された光学部品の光学特性を維持できる光モジュールが提供される。この光モジュールは、光学部品と、上記光学部品が搭載される基部と、上記基部を囲むように上記基部から高さ方向に延びる側壁とを含む筐体と、上記筐体とともに上記光学部品を収容する収容空間を規定する蓋部材と、上記筐体と上記蓋部材とを固定するための樹脂とを備える。上記蓋部材は、上記高さ方向において上記筐体の上記基部に対向する対向面と、上記高さ方向に延びる第１の蓋側面と、上記高さ方向に延び、上記第１の蓋側面の反対側に位置する第２の蓋側面とを有する。上記側壁は、上記高さ方向に延びる突当て側面を有する突当て部を備える第１の側壁と、上記第１の側壁に対向する第２の側壁とを含む。上記第２の側壁は、上記蓋部材を受ける蓋受け面を有する。上記高さ方向に垂直な第１の方向及び上記高さ方向の双方に平行な平面における上記光モジュールの断面のうち少なくとも１つの断面において、上記第１の側壁の上記突当て部の上記突当て側面と上記蓋部材の上記第１の蓋側面とが上記樹脂を介して互いに対向し、上記蓋部材の上記第２の蓋側面は外部に露出し、上記第２の側壁の上記蓋受け面と上記蓋部材の上記対向面とが互いに対向する。上記樹脂として紫外線硬化型樹脂を用いることができる。
【０００９】
本明細書において、蓋側面が外部に「露出」するとは、当該蓋側面の外側に樹脂が存在せず、あるいは、当該蓋側面の外側に筐体がある場合には蓋側面と筐体との間に樹脂が存在せず、外部空間に面していることをいう。
【００１０】
本発明に係る光モジュールによれば、第１の方向と高さ方向の双方に平行な光モジュールの断面のうち少なくとも１つの断面において、第１の側壁の突当て部の突当て側面と蓋部材の第１の蓋側面とが樹脂を介して互いに対向し、第２の側壁の蓋受け面と蓋部材の対向面とが互いに対向し、蓋部材の第１の蓋側面と反対側の第２の蓋側面は外部に露出している。すなわち、上記第１の方向については、蓋部材の片側（第１の蓋側面側）にのみ樹脂が設けられ、反対側の第２の蓋側面は外部に露出しているため、第１の側壁の突当て部の突当て側面と蓋部材の第１の蓋側面との間の樹脂は上記第１の方向に拘束を受けずに変形することが可能となる。したがって、第１の側壁の突当て部の突当て側面と蓋部材の第１の蓋側面との間の樹脂が上記第１の方向に膨張収縮した際に、樹脂の変形が筐体に与える影響を小さくすることができ、筐体の変形を防止することができる。この結果、収容空間に収容された光学部品の光学特性が悪化してしまうことを防止することができる。
【００１１】
上記第１の側壁の上記突当て部の上記突当て側面の全長にわたって該突当て側面と上記蓋部材の上記第１の蓋側面とが上記樹脂を介して互いに対向し、該第１の蓋側面の反対側に位置する上記第２の蓋側面の全長にわたって上記第２の蓋側面が外部に露出していてもよい。この場合には、筐体の変形を防止する効果が第１の側壁の全長にわたって得られる。
【００１２】
上記蓋部材は、上記高さ方向に延びる第３の蓋側面と、上記高さ方向に延び、上記第３の蓋側面の反対側に位置する第４の蓋側面とをさらに有していてもよい。この場合において、上記側壁は、上記高さ方向に延びる突当て側面を有する突当て部を備える第３の側壁と、上記第３の側壁に対向する第４の側壁とをさらに含んでいてもよい。上記第４の側壁は、上記蓋部材を受ける蓋受け面を有していてもよい。上記高さ方向に垂直な第２の方向及び上記高さ方向の双方に平行な平面における上記光モジュールの断面のうち少なくとも１つの断面において、上記第３の側壁の上記突当て部の上記突当て側面と上記蓋部材の上記第３の蓋側面とが上記樹脂を介して互いに対向し、上記蓋部材の上記第４の蓋側面は外部に露出し、上記第４の側壁の上記蓋受け面と上記蓋部材の上記対向面とが互いに対向していてもよい。
【００１３】
このような構成によれば、第２の方向と高さ方向の双方に平行な光モジュールの断面のうち少なくとも１つの断面において、第３の側壁の突当て部の突当て側面と蓋部材の第３の蓋側面とが樹脂を介して互いに対向し、第４の側壁の蓋受け面と蓋部材の対向面とが互いに対向し、蓋部材の第３の蓋側面と反対側の第４の蓋側面は外部に露出している。すなわち、上記第２の方向については、蓋部材の片側（第３の蓋側面側）にのみ樹脂が設けられ、反対側の第４の蓋側面は外部に露出しているため、第３の側壁の突当て部の突当て側面と蓋部材の第３の蓋側面との間の樹脂は上記第２の方向に拘束を受けずに変形することが可能となる。したがって、第３の側壁の突当て部の突当て側面と蓋部材の第３の蓋側面との間の樹脂が上記第２の方向に膨張収縮した際に、樹脂の変形が筐体に与える影響を低減することができ、筐体の変形を防止することができる。この結果、収容空間に収容された光学部品の光学特性が悪化してしまうことを防止することができる。
【００１４】
上記第３の側壁の上記突当て部の上記突当て側面の全長にわたって該突当て側面と上記蓋部材の上記第３の蓋側面とが上記樹脂を介して互いに対向し、該第３の蓋側面の反対側に位置する上記第４の蓋側面の全長にわたって上記第４の蓋側面が外部に露出していてもよい。この場合には、筐体の変形を防止する効果が第３の側壁の全長にわたって得られる。
【００１５】
上記第１の側壁と上記第３の側壁とが互いに隣接していることが好ましい。この場合において、上記第１の側壁の上記突当て部は、上記第１の側壁と上記第３の側壁との接続部から上記第１の側壁に沿って延びていてもよく、上記第３の側壁の上記突当て部は、上記接続部から上記第３の側壁に沿って延びていてもよい。
【００１６】
上記筐体は、上記蓋部材の少なくとも１つの隅部に対向する隅対向部をさらに含んでいてもよい。このような隅対向部を設けることにより、蓋部材の位置決めをより正確に行うことができる。
【００１７】
また、上記蓋部材の上記第２の蓋側面の上記高さ方向に沿った厚さは、上記第１の蓋側面の上記高さ方向に沿った厚さよりも小さくてもよい。このように、蓋部材の高さ方向の厚さを部分的に薄くすることで、光モジュールの軽量化を図ることができる。
【００１８】
本発明の第２の態様によれば、蓋部材を正確に位置決めするとともに、収容空間に収容された光学部品の光学特性を維持することができる光モジュールの製造方法が提供される。この方法においては、対向面と、上記対向面に垂直な第１の蓋側面と、上記対向面に垂直で上記第１の蓋側面の反対側に位置する第２の蓋側面とを含む蓋部材を用意する。基部と、上記基部を囲むように上記基部から高さ方向に延びる側壁とを含む筐体を用意する。上記側壁は、上記高さ方向に延びる突当て側面を有する突当て部を備える第１の側壁と、上記第１の側壁に対向する第２の側壁とを含む。上記第２の側壁は、上記蓋部材を受ける蓋受け面を有する。上記筐体の上記基部に光学部品を搭載する。上記高さ方向に垂直な第１の方向及び上記高さ方向の双方に平行な平面による上記筐体の断面のうち少なくとも１つの断面における上記第１の側壁の上記突当て部の上記突当て側面を含む上記筐体の樹脂塗布部分に樹脂を塗布する。上記光学部品が搭載された上記基部に上記蓋部材の上記対向面を対向させた状態で、上記蓋部材を上記第１の側壁の上記突当て部の上記突当て側面に向かって突き当てて上記蓋部材の上記第１の蓋側面を上記突当て側面に塗布された上記樹脂に接触させるとともに、上記蓋部材を上記第２の側壁の上記蓋受け面に向かって突き当てる。上記第１の側壁の上記突当て部の上記突当て側面に塗布された上記樹脂に上記蓋部材の上記第１の蓋側面を接触させた状態で、上記樹脂を硬化させる。
【００１９】
本発明に係る光モジュールの製造方法によれば、蓋部材を第１の側壁の突当て部の突当て側面に向かって突き当てることにより、蓋部材の第１の方向における位置決めをすることができる。さらに、第１の方向については、蓋部材の片側（第１の蓋側面側）にのみ樹脂が設けられ、反対側の第２の蓋側面は外部に露出しているため、第１の側壁の突当て部の突当て側面と蓋部材の第１の蓋側面との間の樹脂は上記第１の方向に拘束を受けずに変形することが可能となる。したがって、第１の側壁の突当て部の突当て側面と蓋部材の第１の蓋側面との間の樹脂が上記第１の方向に膨張収縮した際に、樹脂の変形が筐体に与える影響を小さくすることができ、筐体の変形を防止することができる。この結果、収容空間に収容された光学部品の光学特性が悪化してしまうことを防止することができる。
【００２０】
上記蓋部材は、上記高さ方向に延びる第３の蓋側面と、上記高さ方向に延び、上記第３の蓋側面の反対側に位置する第４の蓋側面とをさらに有していてもよい。上記側壁は、上記高さ方向に延びる突当て側面を有する突当て部を備える第３の側壁と、上記第３の側壁に対向する第４の側壁をさらに有していてもよい。上記第４の側壁は、上記蓋部材を受ける蓋受け面を有していてもよい。この場合において、上記樹脂塗布部分は、上記高さ方向に垂直な第２の方向及び上記高さ方向の双方に平行な平面における上記筐体の断面のうち少なくとも１つの断面における上記第３の側壁の上記突当て部の上記突当て側面と上記第３の側壁の上記蓋受け面とをさらに含んでいる。そして、上記蓋部材を上記第１の側壁の上記突当て部の上記突当て側面に向かって突き当てるとともに、上記蓋部材を上記第２の側壁の上記蓋受け面に向かって突き当てる際に、上記蓋部材を上記第３の側壁の上記突当て部の上記突当て側面に向かって突き当てて上記蓋部材の上記第３の蓋側面を上記突当て側面に塗布された上記樹脂に接触させるとともに、上記蓋部材を上記第４の側壁の上記蓋受け面に向かって突き当ててもよい。上記樹脂を硬化させる際に、上記第３の側壁の上記突当て部の上記突当て側面に塗布された上記樹脂に上記蓋部材の上記第３の蓋側面を接触させてもよい。
【００２１】
このように、蓋部材を第３の側壁の突当て部の突当て側面に向かって突き当てることにより、蓋部材の第２の方向における位置決めをすることができ、第１の方向と第２の方向との二方向での位置決めが実現される。さらに、第２の方向については、蓋部材の片側（第３の蓋側面側）にのみ樹脂が設けられ、反対側の第４の蓋側面は外部に露出しているため、第３の側壁の突当て部の突当て側面と蓋部材の第３の蓋側面との間の樹脂は上記第２の方向に拘束を受けずに変形することが可能となる。したがって、第２の側壁の突当て部の突当て側面と蓋部材の第３の蓋側面との間の樹脂が上記第２の方向に膨張収縮した際に、樹脂の変形が筐体に与える影響を小さくすることができ、筐体の変形を防止することができる。この結果、収容空間に収容された光学部品の光学特性が悪化してしまうことを防止することができる。
【００２２】
上記樹脂として紫外線硬化型樹脂を用いることができ、上記樹脂に紫外線を照射することにより上記樹脂を硬化させることができる。本発明によれば、側壁と蓋部材との間の封止部材を、外部に露出している部分から筐体の内部に向かって一平面に沿って延びるように配置することができるので、外部から紫外線を当該一平面に沿って照射することによって、樹脂の内部にまで紫外線を照射することが可能である。したがって、樹脂として、短時間で硬化させることができる紫外線硬化型樹脂を用いることができ、光モジュールを製造する際のスループットが向上する。
【発明の効果】
【００２３】
本発明によれば、収容空間に収容された光学部品の光学特性を維持できる光モジュールが提供される。また、蓋部材を正確に位置決めするとともに、収容空間に収容された光学部品の光学特性を維持することができる光モジュールの製造方法が提供される。
【図面の簡単な説明】
【００２４】
【図１】図１は、従来の光モジュールの一例を示す模式的断面図である。
【図２】図２は、本発明の第１の実施形態における光モジュールとしてのレーザモジュールを示す斜視図である。
【図３】図３は、図２に示すレーザモジュールの模式的断面図である。
【図４】図４は、図２に示すレーザモジュールの一部の分解斜視図である。
【図５Ａ】図５Ａは、図２に示すレーザモジュールを組み立てる工程を説明する斜視図である。
【図５Ｂ】図５Ｂは、図２に示すレーザモジュールを組み立てる工程を説明する斜視図である。
【図５Ｃ】図５Ｃは、図２に示すレーザモジュールを組み立てる工程を説明する斜視図である。
【図６】図６は、本発明の他の実施形態におけるレーザモジュールの一部の分解斜視図である。
【図７】図７は、本発明のさらに他の実施形態におけるレーザモジュールの一部の分解斜視図である。
【図８】図８は、本発明のさらに他の実施形態におけるレーザモジュールの一部の分解斜視図である。
【図９】図９は、本発明の第２の実施形態におけるレーザモジュールを示す斜視図である。
【図１０】図１０は、図９に示すレーザモジュールの一部の分解斜視図である。
【図１１】図１１は、本発明の第３の実施形態におけるレーザモジュールを示す斜視図である。
【図１２】図１２は、図１１に示すレーザモジュールの一部の分解斜視図である。
【図１３】図１３は、本発明の第４の実施形態におけるレーザモジュールの分解斜視図である。
【図１４】図１４は、図４に示すレーザモジュールの変形例を示す分解斜視図である。
【発明を実施するための形態】
【００２５】
以下、本発明に係る光モジュールの実施形態について図２から図１４を参照して詳細に説明する。以下では、本発明に係る光モジュールとして半導体レーザ素子を用いたレーザモジュールを例として説明するが、本発明は、半導体レーザ素子以外の光学部品を用いた光モジュールにも適用できるものである。なお、図２から図１４において、同一又は相当する構成要素には、同一の符号を付して重複した説明を省略する。また、図２から図１４においては、各構成要素の縮尺や寸法が誇張されて示されている場合や一部の構成要素が省略されている場合がある。
【００２６】
図２は、本発明の第１の実施形態における光モジュールとしてのレーザモジュール１を示す斜視図、図３は、レーザモジュール１の模式的断面図である。図２及び図３に示すように、レーザモジュール１は、＋Ｚ方向に開口した略直方体状の筐体１０と、略平板状の蓋部材２０とを含んでいる。筐体１０は、平板状の基部１２と、基部１２を囲むように基部１２からＺ方向（高さ方向）に延びる側壁３１〜３４とを含んでいる。略直方体状の筐体１０の開口部を蓋部材２０で覆うことにより筐体１０の内部に収容空間Ｓが形成されている。なお、基部１２は、図示しないヒートシンクなどに載置するか、あるいは水冷パイプなどを内蔵することができる。
【００２７】
筐体１０の基部１２の表面１２Ａには光学部品が固定されている。図３に示す例では、光学部品として、半導体レーザ素子４０と、レンズ４１，４２を含む光結合手段４３とが基部１２の表面１２Ａに固定されている。また、基部１２の表面１２Ａにはフェルール固定部４４も固定されており、このフェルール固定部４４にはフェルール４５が載置されている。フェルール４５には光学部品としての光ファイバ４６が保持されている。これらの部品は筐体１０内部の収容空間Ｓ内に収容される。これらの部品は、例えば接着材を介して筐体１０の基部１２やフェルール固定部４４に固定されている。
【００２８】
図４は、レーザモジュール１の筐体１０と蓋部材２０を分解したときの斜視図であり、簡略化するため、上述した部品４０〜４６の図示は省略している。図４に示すように、側壁３１（第１の側壁）は、蓋部材２０を受ける蓋受け面５１と、蓋受け面５１の外側（−Ｘ方向側）から＋Ｚ方向に延びる突当て部６１とを備えている。この突当て部６１は、蓋受け面５１から＋Ｚ方向に延びＹＺ平面に平行な突当て側面６１Ａを有している。側壁３２（第２の側壁）は、蓋部材２０を受ける蓋受け面５２をその先端に備えている。また、側壁３３（第３の側壁）は、蓋部材２０を受ける蓋受け面５３と、蓋受け面５３の外側（−Ｙ方向側）から＋Ｚ方向に延びる突当て部６３とを備えている。この突当て部６３は、蓋受け面５３から＋Ｚ方向に延びＸＺ平面に平行な突当て側面６３Ａを有している。また、側壁３４（第４の側壁）は、蓋部材２０を受ける蓋受け面５４をその先端に備えている。
【００２９】
側壁３１と側壁３２とはＸ方向において互いに対向しており、側壁３３と側壁３４とはＹ方向において互いに対向している。側壁３１と側壁３３とは互いに隣接しており、側壁３１の突当て部６１と側壁３３の突当て部６３とが側壁３１と側壁３３の接続部で交差している。すなわち、側壁３１の突当て部６１は、側壁３１と側壁３３の接続部から側壁３１の全長にわたって＋Ｙ方向に延び、側壁３３の突当て部６３は、側壁３１と側壁３３の接続部から側壁３３の全長にわたって＋Ｘ方向に延びている。
【００３０】
図３及び図４に示すように、蓋部材２０は、Ｚ方向に延びる４つの蓋側面２１〜２４と、Ｚ方向において筐体１０の基部１２に対向する対向面２５と、Ｚ方向において対向面２５の反対側に位置する表面２６とを有している。蓋側面２１（第１の蓋側面）と蓋側面２２（第２の蓋側面）とは、ＹＺ平面に平行であり、Ｘ方向において互いに反対側に位置している。また、蓋側面２３（第３の蓋側面）と蓋側面２４（第４の蓋側面）とは、ＸＺ平面に平行であり、Ｙ方向において互いに反対側に位置している。
【００３１】
図２に示すように、筐体１０の側壁３１〜３４と蓋部材２０との間にはその全周にわたって樹脂７０が配置されている。より具体的には、側壁３１の突当て部６１の突当て側面６１Ａ（図４参照）と蓋部材２０の蓋側面２１（図４参照）との間、側壁３３の突当て部６３の突当て側面６３Ａ（図４参照）と蓋部材２０の蓋側面２３（図４参照）との間、側壁３２の蓋受け面５２（図４参照）と蓋部材２０の対向面２５（図３参照）との間、側壁３４の蓋受け面５４（図４参照）と蓋部材２０の対向面２５（図３参照）との間に樹脂７０が連続的に設けられている。
【００３２】
このようなレーザモジュール１においては、光学部品が収容される収容空間Ｓに湿気が浸入すると、光学部品を筐体１０に固定している接着材が加水分解によって劣化し、接着強度が低下してしまったり、収容空間Ｓ内で結露が生じることで光学部品の光学特性が悪化してしまったりすることが考えられる。このため、レーザモジュール１の内部の収容空間Ｓを十分に封止することが重要となるが、本実施形態では、上述したように、筐体１０の側壁３１〜３４と蓋部材２０との間の全周にわたって樹脂７０が配置されているので、樹脂７０によってレーザモジュール１内の収容空間Ｓを封止して防湿することができる。なお、樹脂７０としては、後述するような紫外線硬化型樹脂のほか、熱硬化型樹脂、湿気硬化型樹脂、嫌気硬化型樹脂などを用いることができる。
【００３３】
本実施形態では、例えば図３に示すＸＺ断面について見ると、側壁３１の突当て部６１の突当て側面６１Ａと蓋部材２０の蓋側面２１とが樹脂７０を介して互いに対向しており、側壁３２の蓋受け面５２と蓋部材２０の対向面２５とが樹脂７０を介して互いに対向している。そして、蓋部材２０の蓋側面２１と反対側の蓋側面２２は外部に露出している。すなわち、Ｘ方向については、蓋部材２０の片側（蓋側面２１側）にのみ樹脂７０が設けられ、反対側の蓋側面２２は外部に露出しているため、側壁３１の突当て部６１の突当て側面６１Ａと蓋部材２０の蓋側面２１との間の樹脂７０はＸ方向に拘束を受けずに変形することができる。したがって、側壁３１の突当て部６１の突当て側面６１Ａと蓋部材２０の蓋側面２１との間の樹脂７０がＸ方向に膨張収縮した際に、樹脂７０の変形が筐体１０に与える影響を小さくすることができ、筐体１０の変形を防止することができる。この結果、筐体１０の内部の収容空間Ｓに収容された光学部品の光学特性が悪化してしまうことを防止することができる。
【００３４】
また、このような効果はＹＺ断面についても同様に得られる。すなわち、側壁３３の突当て部６３の突当て側面６３Ａと蓋部材２０の蓋側面２３とが樹脂７０を介して互いに対向しており、側壁３４の蓋受け面５４と蓋部材２０の対向面２５とが樹脂７０を介して互いに対向している。そして、蓋部材２０の蓋側面２３と反対側の蓋側面２４は外部に露出している。すなわち、Ｙ方向については、蓋部材２０の片側（蓋側面２３側）にのみ樹脂７０が設けられ、反対側の蓋側面２４は外部に露出しているため、側壁３３の突当て部６３の突当て側面６３Ａと蓋部材２０の蓋側面２３との間の樹脂７０はＹ方向に拘束を受けずに変形することができる。したがって、側壁３３の突当て部６３の突当て側面６３Ａと蓋部材２０の蓋側面２３との間の樹脂７０がＹ方向に膨張収縮した際に、樹脂７０の変形が筐体１０に与える影響を小さくすることができ、筐体１０の変形を防止することができる。したがって、筐体１０の内部の収容空間Ｓに収容された光学部品の光学特性が悪化してしまうことを防止することができる。
【００３５】
特に本実施形態では、側壁３１の突当て部６１の突当て側面６１ＡのＹ方向の全長にわたって突当て側面６１Ａと蓋部材２０の蓋側面２１が樹脂７０を介して対向し、この蓋側面２１の反対側の蓋側面２２がＹ方向の全長にわたって外部に露出しているので、筐体１０の変形を防止する効果が側壁３１のＹ方向の全長にわたって得られる。同様に、側壁３３の突当て部６３の突当て側面６３ＡのＸ方向の全長にわたって突当て側面６３Ａと蓋部材２０の蓋側面２３とが樹脂７０を介して対向し、この蓋側面２３の反対側の蓋側面２４がＸ方向の全長にわたって外部に露出しているので、筐体１０の変形を防止する効果が側壁３３のＸ方向の全長にわたって得られる。
【００３６】
また、このように樹脂７０の変形が筐体１０に与える影響を小さくすることができるため、樹脂７０として硬い樹脂を用いることができる。透湿性の低い樹脂は一般的に硬い傾向があるが、本実施形態では、このような透湿性の低い樹脂を樹脂７０として採用することも可能である。したがって、そのような透湿性の低い樹脂を樹脂７０として用いることにより、レーザモジュール１内の収容空間Ｓの防湿性を高めることができる。
【００３７】
次に、このような構成のレーザモジュール１を製造する方法について説明する。まず、上述した筐体１０を用意し、この筐体１０の基部１２に上述した光学部品４０〜４６を搭載する。そして、図５Ａに示すように、側壁３１の突当て部６１の突当て側面６１Ａ、側壁３３の突当て部６３の突当て側面６３Ａ、側壁３２の蓋受け面５２、及び側壁３４の蓋受け面５４を含む樹脂塗布部分（図５Ａにおいて網掛けで示す部分）に樹脂７０を塗布する。この例では、樹脂７０として紫外線硬化型樹脂を用いる。なお、図５Ａ〜図５Ｃにおいては、理解を容易にするため、筐体１０及び蓋部材２０以外の部品の図示を省略している。
【００３８】
次に、上述した蓋部材２０を用意し、蓋部材２０の対向面２５（図３参照）を筐体１０の基部１２に対向させる（図４に示す状態）。この状態で、図５Ｂに示すように、蓋部材２０を側壁３１の突当て部６１の突当て側面６１Ａに向かって突き当てる（Ｐ１）とともに、蓋部材２０を側壁３３の突当て部６３の突当て側面６３Ａに向かって突き当てる（Ｐ２）。これにより、蓋部材２０の蓋側面２１を突当て側面６１Ａに塗布された樹脂７０に接触させるとともに、蓋部材２０の蓋側面２３を突当て側面６３Ａに塗布された樹脂７０に接触させる。また、蓋部材２０を側壁３２の蓋受け面５２に向かって押し当てる（Ｐ３）とともに、蓋部材２０を側壁３４の蓋受け面５４に向かって押し当てる（Ｐ４）。これにより、蓋部材２０の対向面２５を側壁３２，３４の蓋受け面５２，５４に塗布された樹脂７０に接触させる。
【００３９】
このとき、蓋部材２０を側壁３１の突当て部６１の突当て側面６１Ａに向かって突き当てることにより、蓋部材２０のＸ方向の位置決めをすることができ、蓋部材２０を側壁３３の突当て部６３の突当て側面６３Ａに向かって突き当てることによりＹ方向の位置決めをすることができる。このように、本実施形態では、蓋部材２０をＸＹ平面内で正確に位置決めすることが可能である。
【００４０】
この状態で、図５Ｃに示すように、紫外線照射装置（ＵＶ炉）などを用いて樹脂７０に対して紫外線をあらゆる方向から照射する。このとき、側壁３１と蓋部材２０との間の樹脂７０は、＋Ｚ方向側で外部に露出するとともにＹＺ平面に沿って延びているため、ＹＺ平面に沿って照射される紫外線（Ｖ１）により硬化させることができる。また、側壁３２と蓋部材２０との間の樹脂７０は、＋Ｘ方向側で外部に露出するとともにＸＹ平面に沿って延びているため、ＸＹ平面に沿って照射される紫外線（Ｖ２）により硬化させることができる。さらに、側壁３３と蓋部材２０との間の樹脂７０は、＋Ｚ方向側で外部に露出するとともにＸＺ平面に沿って延びているため、ＸＺ平面に沿って照射される紫外線（Ｖ３）により硬化させることができる。また、側壁３４と蓋部材２０との間の樹脂７０は、＋Ｙ方向側で外部に露出するとともにＸＹ平面に沿って延びているため、ＸＹ平面に沿って照射される紫外線（Ｖ４）により硬化させることができる。
【００４１】
このように、本実施形態では、側壁３１〜３４と蓋部材２０との間の樹脂７０が、外部に露出している部分から筐体１０の内部に向かって一平面に沿って延びるように配置されているので、外部から紫外線を当該一平面に沿って照射することによって、樹脂７０の内部にまで紫外線を照射することが可能である。したがって、樹脂７０として、短時間で硬化させることができる紫外線硬化型樹脂を用いることが可能である。これにより、レーザモジュール１を製造する際のスループットを向上することができる。なお、図１に示す従来の例では、外部から収容空間Ｓに近い側の樹脂９３０に紫外線を照射できない構造となっているため、樹脂９３０として紫外線硬化型樹脂を採用することができない。
【００４２】
本実施形態では、側壁３１が突当て部６１と蓋受け面５１とを有し、側壁３３が突当て部６３と蓋受け面５３とを有しているが、例えば、図６に示すように、側壁３１の蓋受け面５１を省略し、側壁３１を突当て部６１のみによって構成し、同様に、側壁３３の蓋受け面５３を省略し、側壁３３を突当て部６３のみによって構成してもよい。
【００４３】
上述した実施形態では、筐体１０及び蓋部材２０のいずれのＸＺ断面においても、また筐体１０及び蓋部材２０のいずれのＹＺ平面においても、上述した筐体１０の変形防止効果が得られるように構成されているが、例えば、図７に示すように、側壁３４にも突当て部６４を形成し、筐体１０及び蓋部材２０のＸＺ断面においてのみ上述した筐体１０の変形防止効果が得られるように構成してもよい。この場合には、蓋部材２０のＸ方向の片側（蓋側面２１側）にのみ樹脂７０が設けられ、反対側の蓋側面２２は外部に露出することとなるため、側壁３１の突当て部６１の突当て側面６１Ａと蓋部材２０の蓋側面２１との間の樹脂７０はＸ方向に拘束を受けずに変形することができ、上述した筐体１０の変形防止効果が得られる。
【００４４】
さらに言えば、例えば、図８に示すように、側壁３２の一部にも突当て部６２を形成し、筐体１０及び蓋部材２０のＸＺ断面のうち一部の断面においてのみ上述した筐体１０の変形防止効果が得られるように構成してもよい。図８に示す例では、突当て部６２が形成されていない部分に対応して蓋部材２０に突出部２７を形成しており、この突出部２７の蓋側面２７Ａが外部に露出するようになっている。したがって、この突出部２７を通る筐体１０及び蓋部材２０のＸＺ断面に関しては、蓋部材２０のＸ方向の片側（蓋側面２１側）にのみ樹脂７０が設けられ、反対側の蓋側面２７Ａは外部に露出することとなるため、側壁３１の突当て部６１の突当て側面６１Ａと蓋部材２０の蓋側面２１との間の樹脂７０はＸ方向に拘束を受けずに変形することができ、上述した筐体１０の変形防止効果が得られる。このように、Ｚ方向に平行な断面のうち少なくとも１つの断面において上述した筐体１０の変形防止効果が得られるように筐体１０と蓋部材２０とを構成することができる。
【００４５】
図９は、本発明の第２の実施形態におけるレーザモジュール３０１を示す斜視図、図１０は、このレーザモジュール３０１を分解したときの斜視図である。なお、図１０では、理解を容易にするため、レーザモジュール３０１の筐体３１０と蓋部材２０以外の部品の図示は省略している。
【００４６】
このレーザモジュール３０１の筐体３１０には、突当て部６１の＋Ｙ方向の端部から＋Ｘ方向に延びる隅対向部３３１と、突当て部６３の＋Ｘ方向の端部から＋Ｙ方向に延びる隅対向部３３２と、側壁３２と側壁３４の接続部から−Ｙ方向に延びる隅対向部３３３と、側壁３２と側壁３４の接続部から−Ｘ方向に延びる隅対向部３３４とが設けられている。隅対向部３３１及び隅対向部３３４は、蓋受け面５４から＋Ｚ方向に突出しており、隅対向部３３２及び隅対向部３３３は、蓋受け面５２から＋Ｚ方向に突出している。
【００４７】
隅対向部３３１は、蓋部材２０の隅部Ｃ１の蓋側面２４に対向するように構成されており、隅対向部３３２は、蓋部材２０の隅部Ｃ２の蓋側面２２に対向するように構成されている。また、隅対向部３３３は、蓋部材２０の隅部Ｃ３の蓋側面２２に対向するように構成されており、隅対向部３３４は、蓋部材２０の隅部Ｃ３の蓋側面２４に対向するように構成されている。すなわち、本実施形態では、蓋部材２０のすべての隅部Ｃ１〜Ｃ４に対向するように隅対向部３３１〜３３４が設けられている。
【００４８】
このような隅対向部３３１〜３３４を設けることで、蓋部材２０が蓋受け面５１〜５４上に置かれたときに、蓋部材２０の隅部Ｃ１が隅対向部３３１によって位置決めされ、隅部Ｃ２が隅対向部３３２により位置決めされ、隅部Ｃ３が隅対向部３３３，３３４により位置決めされる。このように、隅対向部３３１〜３３４を設けることにより蓋部材２０のＸＹ平面内での位置決めをより正確に行うことができる。特に、本実施形態では、蓋部材２０のすべての隅部Ｃ１〜Ｃ４に対向するように隅対向部３３１〜３３４が設けられているので、蓋部材２０の位置が安定的に保持される。なお、この例では、図１０において網掛けで示す部分に樹脂７０が塗布されて蓋部材２０が筐体３１０に固定される。
【００４９】
ここで、上述した実施形態において、側壁３１の突当て部６１は、側壁３１のＹ方向の全長にわたって形成されている必要はなく、側壁３３の突当て部６３も、側壁３３のＸ方向の全長にわたって形成されている必要はない。このような例について、以下の第３の実施形態及び第４の実施形態で説明する。
【００５０】
図１１は、本発明の第３の実施形態におけるレーザモジュール１０１を示す斜視図、図１２は、このレーザモジュール１０１を分解したときの斜視図である。なお、図１２では、理解を容易にするため、レーザモジュール１０１の筐体１１０と蓋部材１２０以外の部品の図示は省略している。
【００５１】
レーザモジュール１０１は、＋Ｚ方向に開口した略直方体状の筐体１１０と、略平板状の蓋部材１２０とを含んでいる。筐体１１０は、基部１２を囲むように基部１２からＺ方向（高さ方向）に延びる側壁１３１〜１３４を含んでいる。側壁１３１（第１の側壁）は、蓋部材１２０を受ける蓋受け面１５１と、蓋受け面１５１の−Ｙ方向側で＋Ｚ方向に延びる突当て部１６１とを備えている。この突当て部１６１は、＋Ｚ方向に延びＹＺ平面に平行な突当て側面１６１Ａと、蓋受け面１５１から＋Ｚ方向に延びＸＺ平面に平行な突当て側面１６１Ｂとを有している。側壁１３２（第２の側壁）は、蓋部材１２０を受ける蓋受け面１５２をその先端に備えている。また、側壁１３３（第３の側壁）は、蓋部材１２０を受ける蓋受け面１５３と、蓋受け面１５３の−Ｘ方向側で＋Ｚ方向に延びる突当て部１６３とを備えている。この突当て部１６３は、＋Ｚ方向に延びＸＺ平面に平行な突当て側面１６３Ａと、蓋受け面１５３から＋Ｚ方向に延びＹＺ平面に平行な突当て側面１６３Ｂとを有している。また、側壁１３４（第４の側壁）は、蓋部材１２０を受ける蓋受け面１５４をその先端に備えている。
【００５２】
側壁１３１の突当て部１６１と側壁１３３の突当て部１６３とは側壁１３１と側壁１３３の接続部で交差している。側壁１３１の突当て部１６１は、側壁１３１と側壁１３３の接続部から所定の距離だけ＋Ｙ方向に延び、側壁１３３の突当て部１６３は、側壁１３１と側壁１３３の接続部から所定の距離だけ＋Ｘ方向に延びている。
【００５３】
図１２に示すように、蓋部材１２０は、Ｚ方向に延びる８つの蓋側面１２１〜１２８と、Ｚ方向において筐体１１０の基部１２に対向する対向面１２９と、Ｚ方向において対向面１２９の反対側に位置する表面１３０とを有している。蓋側面１２１（第１の蓋側面）と蓋側面１２２（第２の蓋側面）は、ＹＺ平面に平行であり、Ｘ方向において互いに反対側に位置している。また、蓋側面１２３（第３の蓋側面）と蓋側面１２４（第４の蓋側面）とは、ＸＺ平面に平行であり、Ｙ方向において互いに反対側に位置している。また、蓋側面１２５，１２６は、ＹＺ平面に平行であり、Ｘ方向において蓋側面１２２の反対側に位置している。さらに、蓋側面１２７，１２８は、ＸＺ平面に平行であり、Ｙ方向において蓋側面１２４の反対側に位置している。このように、本実施形態における蓋部材１２０は、矩形板状の部材から筐体１１０の突当て部１６１，１６３に対応するＬ字状の部分を切り欠いた形状を有している。
【００５４】
図１１に示すように、筐体１１０の側壁１３１〜１３４と蓋部材１２０との間にはその全周にわたって樹脂７０が配置されている。より具体的には、側壁１３１の突当て部１６１の突当て側面１６１Ａと蓋部材１２０の蓋側面１２１との間、側壁１３３の突当て部１６３の突当て側面１６３Ａと蓋部材１２０の蓋側面１２３との間、側壁１３３の突当て部１６３の突当て側面１６３Ｂと蓋部材１２０の蓋側面１２５との間、側壁１３３の蓋受け面１５３と蓋部材１２０の対向面１２９との間、側壁１３２の蓋受け面１５２と蓋部材１２０の対向面１２９との間、側壁１３４の蓋受け面１５４と蓋部材１２０の対向面１２９との間、側壁１３１の蓋受け面１５１と蓋部材１２０の対向面１２９との間、側壁１３１の突当て部１６１の突当て側面１６１Ｂと蓋部材１２０の蓋側面１２７との間に樹脂７０が連続的に設けられている。このように、筐体１１０の側壁１３１〜１３４と蓋部材１２０との間の全周にわたって樹脂７０が配置されているので、樹脂７０によってレーザモジュール１０１内の収容空間を封止して防湿することができる。
【００５５】
本実施形態においても、第１の実施形態と同様の効果が得られる。すなわち、側壁１３１の突当て部１６１を通るＸＺ断面について考えると、側壁１３１の突当て部１６１の突当て側面１６１Ａと蓋部材１２０の蓋側面１２１とが樹脂７０を介して互いに対向しており、側壁１３２の蓋受け面１５２と蓋部材１２０の対向面１２９とが樹脂７０を介して互いに対向している。そして、蓋部材１２０の蓋側面１２１と反対側の蓋側面１２２は外部に露出している。すなわち、Ｘ方向については、蓋部材１２０の片側（蓋側面１２１側）にのみ樹脂７０が設けられ、反対側の蓋側面１２２は外部に露出しているため、側壁１３１の突当て部１６１の突当て側面１６１Ａと蓋部材１２０の蓋側面１２１との間の樹脂７０はＸ方向に拘束を受けずに変形することができる。したがって、側壁１３１の突当て部１６１の突当て側面１６１Ａと蓋部材１２０の蓋側面１２１との間の樹脂７０がＸ方向に膨張収縮した際に、樹脂７０の変形が筐体１１０に与える影響を小さくすることができ、筐体１１０の変形を防止することができる。この結果、筐体１１０の内部の収容空間Ｓに収容された光学部品の光学特性が悪化してしまうことを防止することができる。このような効果は、側壁１３３の突当て部１６３を通るＹＺ断面についても同様に得られる。
【００５６】
このような構成のレーザモジュール１０１を製造する際には、図１２において網掛けで示す樹脂塗布部分（側壁１３１の蓋受け面１５１、側壁１３１の突当て部１６１の突当て側面１６１Ａ，１６１Ｂ、側壁１３３の突当て部１６３の突当て側面１６３Ａ，１６３Ｂ、側壁１３３の蓋受け面１５３、側壁１３２の蓋受け面１５２、側壁１３４の蓋受け面１５４）に樹脂７０を塗布する。樹脂７０としては、第１の実施形態と同様に紫外線硬化型樹脂を用いることができる。
【００５７】
そして、蓋部材１２０の対向面１２９を筐体１１０の基部１２に対向させた状態で、蓋部材１２０を側壁１３１の突当て部１６１の突当て側面１６１Ａ及び側壁１３３の突当て部１６３の突当て側面１６３Ｂに向かって突き当てるとともに、蓋部材１２０を側壁１３３の突当て部１６３の突当て側面１６３Ａ及び側壁１３１の突当て部１６１の突当て側面１６１Ｂに向かって突き当てる。これにより、蓋部材１２０の蓋側面１２１，１２５，１２３，１２７をそれぞれ突当て側面１６１Ａ，１６３Ｂ，１６３Ａ，１６１Ｂに塗布された樹脂７０に接触させる。また、蓋部材１２０を側壁１３１〜１３４の蓋受け面１５１〜１５４に向かって押し当てることにより、蓋部材１２０の対向面１２９を側壁１３１〜１３４の蓋受け面１５１〜１５４に塗布された樹脂７０に接触させる。
【００５８】
このとき、蓋部材１２０を側壁１３１の突当て部１６１の突当て側面１６１Ａ及び側壁１３３の突当て部１６３の突当て側面１６３Ｂに向かって突き当てることにより、蓋部材１２０のＸ方向の位置決めをすることができる。また、蓋部材１２０を側壁１３３の突当て部１６３の突当て側面１６３Ａ及び側壁１３１の突当て部１６１の突当て側面１６１Ｂに向かって突き当てることによりＹ方向の位置決めをすることができる。このように、本実施形態では、蓋部材１２０をＸＹ平面内で正確に位置決めすることが可能である。
【００５９】
この状態で、紫外線照射装置（ＵＶ炉）などを用いて樹脂７０に対して紫外線をあらゆる方向から照射する。このとき、側壁１３１〜１３４と蓋部材１２０との間の樹脂７０は、外部に露出している部分からＹＺ平面、ＸＺ平面、又はＸＹ平面のいずれかに沿って延びているため、ＹＺ平面、ＸＺ平面、又はＸＹ平面のいずれかに沿って照射される紫外線により硬化させることができる。したがって、側壁１３１〜１３４と蓋部材１２０との間に存在するすべての樹脂７０に対して外部から紫外線を照射して樹脂７０を硬化させることが可能である。
【００６０】
図１３は、本発明の第４の実施形態におけるレーザモジュールを分解したときの斜視図であり、理解を容易にするため、レーザモジュールの筐体２１０と蓋部材２２０以外の部品の図示は省略している。この実施形態は、第３の実施形態における側壁１３１の突当て部１６１のＹ方向の長さと側壁１３３の突当て部１６３のＸ方向の長さを短くしたものに相当する。
【００６１】
レーザモジュールは、＋Ｚ方向に開口した略直方体状の筐体２１０と、略平板状の蓋部材２２０とを含んでいる。筐体２１０は、基部１２を囲むように基部１２からＺ方向（高さ方向）に延びる側壁２３１〜２３４を含んでいる。側壁２３１〜２３４は、それぞれ蓋部材２２０を受ける蓋受け面２５１〜２５４を備えている。本実施形態では、互いに隣接した側壁２３１と側壁２３３との接続部に、＋Ｚ方向に延びる突当て部２６０が設けられており、この突当て部２６０が側壁２３１と側壁２３３との間で共有されている。この突当て部２６０は、蓋受け面２５３から＋Ｚ方向に延びＹＺ平面に平行な突当て側面２６０Ａと、蓋受け面２５１から＋Ｚ方向に延びＸＺ平面に平行な突当て側面２６０Ｂとを有している。
【００６２】
蓋部材２２０は、Ｚ方向に延びる６つの蓋側面２２１〜２２６と、Ｚ方向において筐体２１０の基部１２に対向する対向面２２７と、Ｚ方向において対向面２２７の反対側に位置する表面２２８とを有している。蓋側面２２１と蓋側面２２２は、ＹＺ平面に平行であり、Ｘ方向において互いに反対側に位置している。また、蓋側面２２３と蓋側面２２４とは、ＸＺ平面に平行であり、Ｙ方向において互いに反対側に位置している。また、蓋側面２２５は、ＹＺ平面に平行であり、Ｘ方向において蓋側面２２２の反対側に位置している。さらに、蓋側面２２６は、ＸＺ平面に平行であり、Ｙ方向において蓋側面２２４の反対側に位置している。このように、本実施形態における蓋部材２２０は、矩形板状の部材から筐体２１０の突当て部２６０に対応する矩形状の部分を切り欠いた形状を有している。
【００６３】
本実施形態においても、筐体２１０の側壁２３１〜２３４と蓋部材２２０との間の全周にわたって樹脂７０が配置されている。より具体的には、突当て部２６０の突当て側面２６０Ａと蓋部材２２０の蓋側面２２１との間、側壁２３３の蓋受け面２５３と蓋部材２２０の対向面２２７との間、側壁２３２の蓋受け面２５２と蓋部材２２０の対向面２２７との間、側壁２３４の蓋受け面２５４と蓋部材２２０の対向面２２７との間、側壁２３１の蓋受け面２５１と蓋部材２２０の対向面２２７との間、突当て部２６０の突当て側面２６０Ｂと蓋部材２２０の蓋側面２２３との間に樹脂７０が連続的に設けられている。このように、筐体２１０の側壁２３１〜２３４と蓋部材２２０との間の全周にわたって樹脂７０が配置されているので、樹脂７０によってレーザモジュール内の収容空間を封止して防湿することができる。
【００６４】
本実施形態においても、第１の実施形態と同様の効果が得られる。すなわち、突当て部２６０を通るＸＺ断面について考えると、突当て部２６０の突当て側面２６０Ａと蓋部材２２０の蓋側面２２１とが樹脂７０を介して互いに対向しており、側壁２３３，２３２の蓋受け面２５３，２５２と蓋部材２２０の対向面２２７とが樹脂７０を介して互いに対向している。そして、蓋部材２２０の蓋側面２２１と反対側の蓋側面２２２は外部に露出している。すなわち、Ｘ方向については、蓋部材２２０の片側（蓋側面２２１側）にのみ樹脂７０が設けられ、反対側の蓋側面２２２は外部に露出しているため、突当て部２６０の突当て側面２６０Ａと蓋部材２２０の蓋側面２２１との間の樹脂７０はＸ方向に拘束を受けずに変形することができる。したがって、突当て部２６０の突当て側面２６０Ａと蓋部材２２０の蓋側面２２１との間の樹脂７０がＸ方向に膨張収縮した際に、樹脂７０の変形が筐体２１０に与える影響を小さくすることができ、筐体２１０の変形を防止することができる。この結果、筐体２１０の内部の収容空間Ｓに収容された光学部品の光学特性が悪化してしまうことを防止することができる。このような効果は、突当て部２６０を通るＹＺ断面についても同様に得られる。
【００６５】
このような構成のレーザモジュールを製造する際には、図１３において網掛けで示す樹脂塗布部分（側壁２３１の蓋受け面２５１、突当て部２６０の突当て側面２６０Ｂ，２６０Ａ、側壁２３３の蓋受け面２５３、側壁２３２の蓋受け面２５２、側壁２３４の蓋受け面２５４）に樹脂７０を塗布する。樹脂７０としては、第１及び第３の実施形態と同様に紫外線硬化型樹脂を用いることができる。
【００６６】
そして、蓋部材２２０の対向面２２７を筐体２１０の基部１２に対向させた状態で、蓋部材２２０を突当て部２６０の突当て側面２６０Ａに向かって突き当てるとともに、蓋部材２２０を突当て部２６０の突当て側面２６０Ｂに向かって突き当てる。これにより、蓋部材２２０の蓋側面２２１，２２３をそれぞれ突当て側面２６０Ａ，２６０Ｂに塗布された樹脂７０に接触させる。また、蓋部材２２０を側壁２３１〜２３４の蓋受け面２５１〜２５４に向かって押し当てることにより、蓋部材２２０の対向面２２７を側壁２３１〜２３４の蓋受け面２５１〜２５４に塗布された樹脂７０に接触させる。
【００６７】
このとき、蓋部材２２０を突当て部２６０の突当て側面２６０Ａに向かって突き当てることにより、蓋部材２２０のＸ方向の位置決めをすることができる。また、蓋部材２２０を突当て部２６０の突当て側面２６０Ｂに向かって突き当てることによりＹ方向の位置決めをすることができる。このように、本実施形態では、蓋部材２２０をＸＹ平面内で正確に位置決めすることが可能である。
【００６８】
この状態で、紫外線照射装置（ＵＶ炉）などを用いて樹脂７０に対して紫外線をあらゆる方向から照射する。このとき、側壁２３１〜２３４と蓋部材２２０との間の樹脂７０は、外部に露出している部分からＹＺ平面、ＸＺ平面、又はＸＹ平面のいずれかに沿って延びているため、ＹＺ平面、ＸＺ平面、又はＸＹ平面のいずれかに沿って照射される紫外線により硬化させることができる。したがって、側壁２３１〜２３４と蓋部材２２０との間に存在するすべての樹脂７０に対して外部から紫外線を照射して樹脂７０を硬化させることが可能である。
【００６９】
上述の第１の実施形態では、蓋部材２０のＺ方向の厚さが均一であったが、レーザモジュール１を軽量化するために、蓋部材２０のＺ方向の厚さを部分的に薄くすることもできる。例えば、図１４に示すように、蓋部材２０の蓋側面２２の厚さを反対側の蓋側面２１の厚さより小さくし、同様に、蓋側面２４の厚さを反対側の蓋側面２３の厚さよりも小さくしてもよい。図６〜図１４に示す実施形態においても、樹脂７０が塗布されない蓋側面の厚さをその反対側の蓋側面の厚さよりも小さくして、レーザモジュールの軽量化を図ることができる。
【００７０】
また、上述した実施形態では、筐体の基部と側壁とが一体となっている例を図示しているが、基部と側壁とを別個の部材により構成して筐体を形成してもよい。
【００７１】
上述した実施形態では、樹脂７０が筐体の側壁と蓋部材との間の全周にわたって形成されている例を説明したが、筐体の側壁と蓋部材との間の全周を樹脂７０によって封止する必要は必ずしもない。また、他の固定手段と樹脂７０とを併用することで側壁と蓋部材とを固定することも可能である。
【００７２】
上述した実施形態では、２つ以上の突当て側面を形成した例を説明したが、突当て側面を１つだけ形成してもよい。ただし、平面内での正確な位置決めを実現するためには、突当て側面の数を２つ以上とし、２以上の方向で蓋部材の位置決めを行うことが好ましい。
【００７３】
上述の実施形態では、光学部品として半導体レーザ素子を用いたレーザモジュールを例として説明したが、これに限られるものではない。例えば、光学部品としてフォトダイオードを用い、外部からの光を受光してこれを電気に変換する光受信器モジュールにも本発明を適用することができる。
【００７４】
これまで本発明の好ましい実施形態について説明したが、本発明は上述の実施形態に限定されず、その技術的思想の範囲内において種々異なる形態にて実施されてよいことは言うまでもない。
【符号の説明】
【００７５】
１    レーザモジュール（光モジュール）
１０    筐体
１２    基部
２０    蓋部材
２１    蓋側面（第１の蓋側面）
２２    蓋側面（第２の蓋側面）
２３    蓋側面（第３の蓋側面）
２４    蓋側面（第４の蓋側面）
２５    対向面
３１    側壁（第１の側壁）
３２    側壁（第２の側壁）
３３    側壁（第３の側壁）
３４    側壁（第４の側壁）
４０    半導体レーザ素子
４１，４２    レンズ
４４    フェルール固定部
４５    フェルール
４６    光ファイバ
５１〜５４    蓋受け面
６１〜６４    突当て部
６１Ａ，６３Ａ  突当て側面
７０    樹脂
１０１    レーザモジュール
１１０    筐体
１２０    蓋部材
１２１〜１２８    蓋側面
１２９    対向面
１３１〜１３４    側壁
１５１〜１５４    蓋受け面
１６１，１６３    突当て部
１６１Ａ，１６１Ｂ，１６３Ａ，１６３Ｂ  突当て側面
２１０    筐体
２２０    蓋部材
２２１〜２２６    蓋側面
２２７    対向面
２３１〜２３４    側壁
２５１〜２５４    蓋受け面
２６０    突当て部
２６０Ａ，２６０Ｂ  突当て側面
３１０    筐体
３３１〜３３４    隅対向部
Ｃ１〜Ｃ４    隅部
Ｓ    収容空間
【図１】
2019016696.tif 000003
【図２】
2019016696.tif 000004
【図３】
2019016696.tif 000005
【図４】
2019016696.tif 000006
【図５Ａ】
2019016696.tif 000007
【図５Ｂ】
2019016696.tif 000008
【図５Ｃ】
2019016696.tif 000009
【図６】
2019016696.tif 000010
【図７】
2019016696.tif 000011
【図８】
2019016696.tif 000012
【図９】
2019016696.tif 000013
【図１０】
2019016696.tif 000014
【図１１】
2019016696.tif 000015
【図１２】
2019016696.tif 000016
【図１３】
2019016696.tif 000017
【図１４】
2019016696.tif 000018
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
光学部品と、前記光学部品が搭載される基部と、前記基部を囲むように前記基部から高さ方向に延びる側壁とを含む筐体と、前記筐体とともに前記光学部品を収容する収容空間を規定する蓋部材と、前記筐体と前記蓋部材とを固定するための樹脂とを備える光モジュールであって、
前記蓋部材は、
前記高さ方向において前記筐体の前記基部に対向する対向面と、
前記高さ方向に延びる第１の蓋側面と、
前記高さ方向に延び、前記第１の蓋側面の反対側に位置する第２の蓋側面と
を有し、
前記側壁は、
前記高さ方向に延びる突当て側面を有する突当て部を備える第１の側壁と、
前記第１の側壁に対向する第２の側壁であって、前記蓋部材を受ける蓋受け面を有する第２の側壁と
を含み、
前記高さ方向に垂直な第１の方向及び前記高さ方向の双方に平行な平面における前記光モジュールの断面のうち少なくとも１つの断面において、前記第１の側壁の前記突当て部の前記突当て側面と前記蓋部材の前記第１の蓋側面とが前記樹脂を介して互いに対向し、前記蓋部材の前記第２の蓋側面は外部に露出し、前記第２の側壁の前記蓋受け面と前記蓋部材の前記対向面とが互いに対向し、
前記第１の側壁の前記突当て部の前記突当て側面の全長にわたって該突当て側面と前記蓋部材の前記第１の蓋側面とが前記樹脂を介して互いに対向し、該第１の蓋側面の反対側に位置する前記第２の蓋側面の全長にわたって前記第２の蓋側面が外部に露出する、
光モジュール。
【請求項２】
光学部品と、前記光学部品が搭載される基部と、前記基部を囲むように前記基部から高さ方向に延びる側壁とを含む筐体と、前記筐体とともに前記光学部品を収容する収容空間を規定する蓋部材と、前記筐体と前記蓋部材とを固定するための樹脂とを備える光モジュールであって、
前記蓋部材は、
前記高さ方向において前記筐体の前記基部に対向する対向面と、
前記高さ方向に延びる第１の蓋側面と、
前記高さ方向に延び、前記第１の蓋側面の反対側に位置する第２の蓋側面と
を有し、
前記側壁は、
前記高さ方向に延びる突当て側面を有する突当て部を備える第１の側壁と、
前記第１の側壁に対向する第２の側壁であって、前記蓋部材を受ける蓋受け面を有する第２の側壁と
を含み、
前記高さ方向に垂直な第１の方向及び前記高さ方向の双方に平行な平面における前記光モジュールの断面のうち少なくとも１つの断面において、前記第１の側壁の前記突当て部の前記突当て側面と前記蓋部材の前記第１の蓋側面とが前記樹脂を介して互いに対向し、前記蓋部材の前記第２の蓋側面は外部に露出し、前記第２の側壁の前記蓋受け面と前記蓋部材の前記対向面とが互いに対向し、
前記蓋部材は、
前記高さ方向に延びる第３の蓋側面と、
前記高さ方向に延び、前記第３の蓋側面の反対側に位置する第４の蓋側面と
をさらに有し、
前記側壁は、
前記高さ方向に延びる突当て側面を有する突当て部を備える第３の側壁と、
前記第３の側壁に対向する第４の側壁であって、前記蓋部材を受ける蓋受け面を有する第４の側壁と
をさらに含み、
前記高さ方向に垂直な第２の方向及び前記高さ方向の双方に平行な平面における前記光モジュールの断面のうち少なくとも１つの断面において、前記第３の側壁の前記突当て部の前記突当て側面と前記蓋部材の前記第３の蓋側面とが前記樹脂を介して互いに対向し、前記蓋部材の前記第４の蓋側面は外部に露出し、前記第４の側壁の前記蓋受け面と前記蓋部材の前記対向面とが介して互いに対向し、
前記第３の側壁の前記突当て部の前記突当て側面の全長にわたって該突当て側面と前記蓋部材の前記第３の蓋側面と前記樹脂を介して互いに対向し、該第３の蓋側面の反対側に位置する前記第４の蓋側面の全長にわたって前記第４の蓋側面が外部に露出する、
光モジュール。
【請求項３】
前記第１の側壁と前記第３の側壁とは互いに隣接する、請求項２に記載の光モジュール。
【請求項４】
前記第１の側壁の前記突当て部は、前記第１の側壁と前記第３の側壁との接続部から前記第１の側壁に沿って延び、
前記第３の側壁の前記突当て部は、前記接続部から前記第３の側壁に沿って延びる、
請求項３に記載の光モジュール。
【請求項５】
光学部品と、前記光学部品が搭載される基部と、前記基部を囲むように前記基部から高さ方向に延びる側壁とを含む筐体と、前記筐体とともに前記光学部品を収容する収容空間を規定する蓋部材と、前記筐体と前記蓋部材とを固定するための樹脂とを備える光モジュールであって、
前記蓋部材は、
前記高さ方向において前記筐体の前記基部に対向する対向面と、
前記高さ方向に延びる第１の蓋側面と、
前記高さ方向に延び、前記第１の蓋側面の反対側に位置する第２の蓋側面と
を有し、
前記側壁は、
前記高さ方向に延びる突当て側面を有する突当て部を備える第１の側壁と、
前記第１の側壁に対向する第２の側壁であって、前記蓋部材を受ける蓋受け面を有する第２の側壁と
を含み、
前記高さ方向に垂直な第１の方向及び前記高さ方向の双方に平行な平面における前記光モジュールの断面のうち少なくとも１つの断面において、前記第１の側壁の前記突当て部の前記突当て側面と前記蓋部材の前記第１の蓋側面とが前記樹脂を介して互いに対向し、前記蓋部材の前記第２の蓋側面は外部に露出し、前記第２の側壁の前記蓋受け面と前記蓋部材の前記対向面とが互いに対向し、
前記蓋部材の前記第２の蓋側面の前記高さ方向に沿った厚さは、前記第１の蓋側面の前記高さ方向に沿った厚さよりも小さい、
光モジュール。
【請求項６】
光学部品と、前記光学部品が搭載される基部と、前記基部を囲むように前記基部から高さ方向に延びる側壁とを含む筐体と、前記筐体とともに前記光学部品を収容する収容空間を規定する蓋部材と、前記筐体と前記蓋部材とを固定するための樹脂とを備える光モジュールであって、
前記蓋部材は、
前記高さ方向において前記筐体の前記基部に対向する対向面と、
前記高さ方向に延びる第１の蓋側面と、
前記高さ方向に延び、前記第１の蓋側面の反対側に位置する第２の蓋側面と
を有し、
前記側壁は、
前記高さ方向に延びる突当て側面を有する突当て部を備える第１の側壁と、
前記第１の側壁に対向する第２の側壁であって、前記蓋部材を受ける蓋受け面を有する第２の側壁と
を含み、
前記高さ方向に垂直な第１の方向及び前記高さ方向の双方に平行な平面における前記光モジュールの断面のうち少なくとも１つの断面において、前記第１の側壁の前記突当て部の前記突当て側面と前記蓋部材の前記第１の蓋側面とが前記樹脂を介して互いに対向し、前記蓋部材の前記第２の蓋側面は外部に露出し、前記第２の側壁の前記蓋受け面と前記蓋部材の前記対向面とが互いに対向し、
前記樹脂は紫外線硬化型樹脂である、
光モジュール。
【請求項７】
前記筐体は、前記蓋部材の少なくとも１つの隅部に対向する隅対向部をさらに含む、請求項１から６のいずれか一項に記載の光モジュール。
【請求項８】
対向面と、前記対向面に垂直な第１の蓋側面と、前記対向面に垂直で前記第１の蓋側面の反対側に位置する第２の蓋側面とを含む蓋部材を用意し、
基部と、前記基部を囲むように前記基部から高さ方向に延びる側壁とを含む筐体を用意し、
前記側壁は、前記高さ方向に延びる突当て側面を有する突当て部を備える第１の側壁と、前記第１の側壁に対向する第２の側壁であって、前記蓋部材を受ける蓋受け面を有する第２の側壁とを含み、
前記筐体の前記基部に光学部品を搭載し、
前記高さ方向に垂直な第１の方向及び前記高さ方向の双方に平行な平面における前記筐体の断面のうち少なくとも１つの断面における前記第１の側壁の前記突当て部の前記突当て側面を含む前記筐体の樹脂塗布部分に樹脂を塗布し、
前記光学部品が搭載された前記基部に前記蓋部材の前記対向面を対向させた状態で、前記蓋部材を前記第１の側壁の前記突当て部の前記突当て側面に向かって突き当てて前記蓋部材の前記第１の蓋側面を前記突当て側面に塗布された前記樹脂に接触させるとともに、前記蓋部材を前記第２の側壁の前記蓋受け面に向かって突き当て、
前記第１の側壁の前記突当て部の前記突当て側面に塗布された前記樹脂に前記蓋部材の前記第１の蓋側面を接触させた状態で、前記樹脂を硬化させ、
前記樹脂として紫外線硬化型樹脂を用い、
前記樹脂を硬化させる際に、前記樹脂に紫外線を照射することにより前記樹脂を硬化させる、
光モジュールの製造方法。
【請求項９】
前記蓋部材は、
前記高さ方向に延びる第３の蓋側面と、
前記高さ方向に延び、前記第３の蓋側面の反対側に位置する第４の蓋側面と
をさらに有し、
前記側壁は、
前記高さ方向に延びる突当て側面を有する突当て部を備える第３の側壁と、
前記第３の側壁に対向する第４の側壁であって、前記蓋部材を受ける蓋受け面を有する第４の側壁と
をさらに含み、
前記樹脂塗布部分は、前記高さ方向に垂直な第２の方向及び前記高さ方向の双方に平行な平面における前記筐体の断面のうち少なくとも１つの断面における前記第３の側壁の前記突当て部の前記突当て側面をさらに含み、
前記蓋部材を前記第１の側壁の前記突当て部の前記突当て側面に向かって突き当てるとともに、前記蓋部材を前記第２の側壁の前記蓋受け面に向かって突き当てる際に、前記蓋部材を前記第３の側壁の前記突当て部の前記突当て側面に向かって突き当てて前記蓋部材の前記第３の蓋側面を前記突当て側面に塗布された前記樹脂に接触させるとともに、前記蓋部材を前記第４の側壁の前記蓋受け面に向かって突き当て、
前記樹脂を硬化させる際に、前記第３の側壁の前記突当て部の前記突当て側面に塗布された前記樹脂に前記蓋部材の前記第３の蓋側面を接触させる、
請求項８に記載の光モジュールの製造方法。
【手続補正２】
【補正対象書類名】明細書
【補正対象項目名】０００８
【補正方法】変更
【補正の内容】
【０００８】
本発明によれば、収容空間に収容された光学部品の光学特性を維持できる光モジュールが提供される。この光モジュールは、光学部品と、上記光学部品が搭載される基部と、上記基部を囲むように上記基部から高さ方向に延びる側壁とを含む筐体と、上記筐体とともに上記光学部品を収容する収容空間を規定する蓋部材と、上記筐体と上記蓋部材とを固定するための樹脂とを備える。上記蓋部材は、上記高さ方向において上記筐体の上記基部に対向する対向面と、上記高さ方向に延びる第１の蓋側面と、上記高さ方向に延び、上記第１の蓋側面の反対側に位置する第２の蓋側面とを有する。上記側壁は、上記高さ方向に延びる突当て側面を有する突当て部を備える第１の側壁と、上記第１の側壁に対向する第２の側壁とを含む。上記第２の側壁は、上記蓋部材を受ける蓋受け面を有する。上記高さ方向に垂直な第１の方向及び上記高さ方向の双方に平行な平面における上記光モジュールの断面のうち少なくとも１つの断面において、上記第１の側壁の上記突当て部の上記突当て側面と上記蓋部材の上記第１の蓋側面とが上記樹脂を介して互いに対向し、上記蓋部材の上記第２の蓋側面は外部に露出し、上記第２の側壁の上記蓋受け面と上記蓋部材の上記対向面とが互いに対向する。
【手続補正３】
【補正対象書類名】明細書
【補正対象項目名】００１１
【補正方法】変更
【補正の内容】
【００１１】
本発明の第１の態様によれば、上記第１の側壁の上記突当て部の上記突当て側面の全長にわたって該突当て側面と上記蓋部材の上記第１の蓋側面とが上記樹脂を介して互いに対向し、該第１の蓋側面の反対側に位置する上記第２の蓋側面の全長にわたって上記第２の蓋側面が外部に露出する。この場合には、筐体の変形を防止する効果が第１の側壁の全長にわたって得られる。
【手続補正４】
【補正対象書類名】明細書
【補正対象項目名】００１２
【補正方法】変更
【補正の内容】
【００１２】
本発明の第２の態様によれば、上記蓋部材は、上記高さ方向に延びる第３の蓋側面と、上記高さ方向に延び、上記第３の蓋側面の反対側に位置する第４の蓋側面とをさらに有する。この場合において、上記側壁は、上記高さ方向に延びる突当て側面を有する突当て部を備える第３の側壁と、上記第３の側壁に対向する第４の側壁とをさらに含む。上記第４の側壁は、上記蓋部材を受ける蓋受け面を有する。上記高さ方向に垂直な第２の方向及び上記高さ方向の双方に平行な平面における上記光モジュールの断面のうち少なくとも１つの断面において、上記第３の側壁の上記突当て部の上記突当て側面と上記蓋部材の上記第３の蓋側面とが上記樹脂を介して互いに対向し、上記蓋部材の上記第４の蓋側面は外部に露出し、上記第４の側壁の上記蓋受け面と上記蓋部材の上記対向面とが互いに対向する。
【手続補正５】
【補正対象書類名】明細書
【補正対象項目名】００１４
【補正方法】変更
【補正の内容】
【００１４】
上記第３の側壁の上記突当て部の上記突当て側面の全長にわたって該突当て側面と上記蓋部材の上記第３の蓋側面とが上記樹脂を介して互いに対向し、該第３の蓋側面の反対側に位置する上記第４の蓋側面の全長にわたって上記第４の蓋側面が外部に露出する。この場合には、筐体の変形を防止する効果が第３の側壁の全長にわたって得られる。
【手続補正６】
【補正対象書類名】明細書
【補正対象項目名】００１７
【補正方法】変更
【補正の内容】
【００１７】
また、本発明の第３の態様によれば、上記蓋部材の上記第２の蓋側面の上記高さ方向に沿った厚さは、上記第１の蓋側面の上記高さ方向に沿った厚さよりも小さい。このように、蓋部材の高さ方向の厚さを部分的に薄くすることで、光モジュールの軽量化を図ることができる。
【手続補正７】
【補正対象書類名】明細書
【補正対象項目名】００１８
【補正方法】変更
【補正の内容】
【００１８】
本発明の第４の態様によれば、上記樹脂が紫外線硬化型樹脂である。
本発明の第５の態様によれば、蓋部材を正確に位置決めするとともに、収容空間に収容された光学部品の光学特性を維持することができる光モジュールの製造方法が提供される。この方法においては、対向面と、上記対向面に垂直な第１の蓋側面と、上記対向面に垂直で上記第１の蓋側面の反対側に位置する第２の蓋側面とを含む蓋部材を用意する。基部と、上記基部を囲むように上記基部から高さ方向に延びる側壁とを含む筐体を用意する。上記側壁は、上記高さ方向に延びる突当て側面を有する突当て部を備える第１の側壁と、上記第１の側壁に対向する第２の側壁とを含む。上記第２の側壁は、上記蓋部材を受ける蓋受け面を有する。上記筐体の上記基部に光学部品を搭載する。上記高さ方向に垂直な第１の方向及び上記高さ方向の双方に平行な平面による上記筐体の断面のうち少なくとも１つの断面における上記第１の側壁の上記突当て部の上記突当て側面を含む上記筐体の樹脂塗布部分に樹脂を塗布する。上記光学部品が搭載された上記基部に上記蓋部材の上記対向面を対向させた状態で、上記蓋部材を上記第１の側壁の上記突当て部の上記突当て側面に向かって突き当てて上記蓋部材の上記第１の蓋側面を上記突当て側面に塗布された上記樹脂に接触させるとともに、上記蓋部材を上記第２の側壁の上記蓋受け面に向かって突き当てる。上記第１の側壁の上記突当て部の上記突当て側面に塗布された上記樹脂に上記蓋部材の上記第１の蓋側面を接触させた状態で、上記樹脂を硬化させる。上記樹脂として紫外線硬化型樹脂を用い、上記樹脂を硬化させる際に、上記樹脂に紫外線を照射することにより上記樹脂を硬化させる。